(57)【要約】      （修正有）【課題】心身ともにリラックスすることができ、入浴を楽しむことができる入浴具を提供する。【解決手段】自然の芳香を有する檜を機械加工により所定形状に形成し、表面２が球面をなし入浴具１は比較的小径の１５センチ以下、好ましくは１０センチ程度で、小児が手に持って遊べる程度の直径を有しているものとする。入浴の際、風呂の湯Ｗに入浴具１を浮かせ、入浴者はその入浴具１から発する香りと檜の有する趣を楽しみ、心身ともにリラックスして入浴する。また湯Ｗに浮かぶ入浴具１を手にとって触ったり、湯Ｗの中に沈めたり浮かしたり、あるいは握って手の感触を楽しんだり、顔に近づけて直接的に香りを楽しんだりする。さらに科学的な入浴剤が家庭排水に混入することがなく環境衛生を害することがまったくない。【選択図】図２
0003105182.tif 000002
【実用新案登録請求の範囲】
【請求項１】
天然の芳香を有する檜材を所定形状に形成してなることを特徴とする入浴具。
【考案の詳細な説明】
【技術分野】
【０００１】  本考案は入浴具に係わり、特に芳香を有する入浴具に関するものである。
【技術背景】
【０００２】  入浴は疲労回復の一助となり、近年その湯に入れる入浴剤等が多数出回っている。
これらの入浴剤は、温泉の成分を科学的に合成した物や、香料を添加したものあるいは薬用剤を含み、肌に化粧効果を有するもの等多数が用いられている。
【考案の開示】
【考案が解決しようとする課題】
【０００３】  上記従来技術の入浴剤は、科学的に合成したものを主成分とする人工的なものであるため、自然の温泉のもつ効用に比べて劣る面があり、しかもその湯を家庭用排水として流すことによる環境衛生に及ぼす問題も懸念される。そして温泉、例えば檜の風呂には、それらの人工の入浴剤にはない効用、例えば檜が持つ香りと木の肌の持つ自然な趣により人を身体とともに精神もリラックスさせ、疲労回復の助けとなることが知られている。しかし、一般の家庭風呂はステンレス製等が主であり、また檜風呂を一般家庭が設けることはコスト的な面から困難であり、家庭に於いては檜が持つ自然の香りと趣を楽しむことが事実上難しかった。一方、檜は檜風呂、高級家具に使用されるがこれらの製造工程においても廃材が発生し、従来はその廃材を焼却したり、土中に埋めるなどして処理しており、これら廃材の有効利用が望まれている。【０００４】  そこで、本考案は檜材の有効利用を図り、心身ともにリラックスすることができ、入浴を楽しむことが出来る入浴具を提供することを目的とする。
【課題を解決するための手段】
【０００５】  本考案は天然の芳香を有する檜材を所定形状に形成してなるものである。
【作用】
【０００６】  上記構成の入浴具を湯に入れて入浴することにより、その芳香と檜のもつ自然な趣を楽しむことができる。
【実施例】
【０００７】  以下本考案の実施例を添付図面を参照して説明する。図１、図２および図３は本考案の実施例１を示す。同図において入浴具１は自然の芳香を有する檜を機械加工により所定形状に形成し、表面２が球面をなし入浴具１は比較的小径の１５センチ以下、好ましくは１０センチ程度で、小児が手に持って遊べる程度の直径を有しているもとする。これを用いて入浴することにより親子でバスタイムを楽しむことが出来る。【０００８】  そして入浴の際、風呂の湯Ｗに入浴具１を浮かせ、入浴者はその入浴具１から発する香りと檜の有する趣を楽しみ、心身ともにリラックスして入浴する。また湯Ｗに浮かぶ入浴具１を手にとって触ったり、湯Ｗの中に沈めたり浮かしたり、あるいは握って手の感触を楽しんだり、顔に近づけて直接的に香りを楽しんだりする。さらに従来の入浴具のように科学的な入浴剤が家庭排水に混入することがなく環境衛生を害することがまったくない。【０００９】  入浴具１を檜にて形成することにより、この檜を湯に沸かすと風呂全体が檜の香りに包まれ、檜風呂に比べて安価に檜の香りを楽しむことができる。しかもその香りが薄くなったら檜の入浴具１を少し乾かした後、表面をサンドペーパー等により研磨すると新鮮な香りが得られ長時間その香りを楽しむことができる。【００１０】  図４は本考案の第２実施例を示し、前記第１実施例と同一部分に同一符号を付し、その詳細な説明を省略して詳述すると、この例では小児が居ない家庭においては、入浴具１のみを用いる。入浴具１はお年寄りが、手に持って握ったり触ったりして手を動かすことにより一種のリハビリ用具として用いることができる。【００１１】  図５は本考案の第３実施例を示し、前記第１実施例と同一部分に同一符号を付し、その詳細な説明を省略して詳述すると、この例では入浴具１Ａは檜を機械加工により星形で表面４が大きさ１５センチ以下好ましくは１０センチ程度、側面５の厚さ５センチ以下、好ましくは３センチ程度に形成する。
この檜を湯に沸かすと風呂全体が檜の香りに包まれ、檜風呂に比べて安価に檜の香りを楽しむことができる。しかもその香りが薄くなったら檜の入浴具１Ａを少し乾かした後、表面をサンドペーパー等により研磨すると新鮮な香りが得られ長時間その香りを楽しむことができる。【００１２】  図６は本考案の第４実施例を示し、前記第１実施例と同一部分に同一符号を付し、その詳細な説明を省略して詳述すると、この例では入浴具１Ｂは檜を機械加工により直方体で表面４が大きさ１５センチ以下好ましくは１０センチ程度、側面５の厚さ５センチ以下、好ましくは３センチ程度に形成する。
この檜を湯に沸かすと風呂全体が檜の香りに包まれ、檜風呂に比べて安価に檜の香りを楽しむことができる。しかもその香りが薄くなったら檜の入浴具１Ｂを少し乾かした後、表面をサンドペーパー等により研磨すると新鮮な香りが得られ長時間その香りを楽しむことができる。【００１３】  図７は本考案の第５実施例を示し、前記第１実施例と同一部分に同一符号を付し、その詳細な説明を省略して詳述すると、この例では入浴具１Ｃは檜を機械加工により三日月形で表面が大きさ１５センチ以下好ましくは１０センチ程度、側面５の厚さ５センチ以下、好ましくは３センチ程度に形成する。
この檜を湯に沸かすと風呂全体が檜の香りに包まれ、檜風呂に比べて安価に檜の香りを楽しむことができる。しかもその香りが薄くなったら檜の入浴具１Ｃを少し乾かした後、表面をサンドペーパー等により研磨すると新鮮な香りが得られ長時間その香りを楽しむことができる。【００１４】  図８は本考案の第６実施例を示し、前記第１実施例と同一部分に同一符号を付し、その詳細な説明を省略して詳述すると、この例では入浴具１Ｄは檜を機械加工により三角形で表面が大きさ１５センチ以下好ましくは１０センチ程度、側面の厚さ５センチ以下、好ましくは３センチ程度に形成する。
この檜を湯に沸かすと風呂全体が檜の香りに包まれ、檜風呂に比べて安価に檜の香りを楽しむことができる。しかもその香りが薄くなったら檜の入浴具１Ｄを少し乾かした後、表面をサンドペーパー等により研磨すると新鮮な香りが得られ長時間その香りを楽しむことができる。【００１５】  図９及び図１０は本考案の第７実施例を示し、前記第１実施例と同一部分に同一符号を付し、その詳細な説明を省略して詳述すると、入浴具（１，１Ａ、１Ｂ、１Ｃ、１Ｄ）の檜の香りが薄くなってしまったり、入浴具として使用しなくなった場合に着色を施すことにより、積み木またはパズルなど小児用の遊具として使用できる。従って入浴具としての入浴時と遊具として使用時に小児が遊戯中に投げたりしたときに当たった物が壊れたり、顔面などに当たって怪我をしたりすることを避けるため、すべての入浴具の鋭角な部分は削り取って丸みをつけておく。【００１６】  図１１及び図１２は本考案の第８実施例を示し、前記実施例１と同一部分に同一符号を付し、その詳細な説明を省略して詳述すると、長時間を経て使用を完了した入浴具（１，１Ａ、１Ｂ，１Ｃ、１Ｄ）を廃棄せずに、組み合わせ自由な珠のれんとし、着色等を施すことにより、味わい深い室内インテリアとして使用できる。そのために入浴具（１，１Ａ、１Ｂ，１Ｃ、１Ｄ）のすべてに制作時において所定箇所に直径１センチ以下、好ましくは５ミリの穴をあけておくものとする。【００１７】  なお、本考案は、上記実施例に限定されるものではなく、本考案の要旨の範囲内において種々の変形実施が可能である。例えば、入浴具の形状は動物（うさぎ、亀、象、キリン、パンダ、イルカ、ペンギン、ふくろう、リス、カバ、アヒル、犬）、乗り物（飛行機、新幹線、船、自動車、バス）など各種形状を用いることができる。
また、入浴具（１，１Ａ，１Ｂ，１Ｃ，１Ｄ）の表面にマーク、社名あるいは商品名等を焼き印、シールあるいは塗布などにより施してもよい。
【考案の効果】
本考案は天然の芳香を有する檜を所定形状に形成してなることにより檜の有効利用を図り、心身ともにリラックスすることができ、入浴を楽しむことができる入浴具を提供することができる。
【図面の簡単な説明】
【００１８】
【図１】本考案の第１実施例を示す斜視図である。
【図２】本考案の第１実施例を示す使用状態の断面図である。
【図３】本考案の第１実施例を示す斜視図である。
【図４】本考案の第２実施例を示す斜視図である。
【図５】本考案の第３実施例を示す斜視図である。
【図６】本考案の第４実施例を示す斜視図である。
【図７】本考案の第５実施例を示す斜視図である。
【図８】本考案の第６実施例を示す斜視図である。
【図９】本考案の第７実施例を示す斜視図である。
【図１０】本考案の第７実施例を示す斜視図である。
【図１１】本考案の第８実施例を示す斜視図である。
【図１２】本考案の第８実施例を示す斜視図である。
【符号の説明】
【００１９】１、１Ａ、１Ｂ、１Ｃ、１Ｄ  入浴具
【図１】
0003105182.tif 000003
【図２】
0003105182.tif 000004
【図３】
0003105182.tif 000005
【図４】
0003105182.tif 000006
【図５】
0003105182.tif 000007
【図６】
0003105182.tif 000008
【図７】
0003105182.tif 000009
【図８】
0003105182.tif 000010
【図９】
0003105182.tif 000011
【図１０】
0003105182.tif 000012
【図１１】
0003105182.tif 000013
【図１２】
0003105182.tif 000014
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
天然の芳香を有する檜材を球形、星型立方形、三日月型立方形、正四角立方形及び正三角立方形に形成してなるを特徴とする入浴具。